(57)【要約】      （修正有）【課題】電線が設けられた環境に応じて、測定項目を任意に選択することが可能な電線用センサ装置およびセンサを提供する。【解決手段】電線用センサ装置１０は、電線１００の周囲を囲むように設けられ、周側面に電線１００の周方向に沿って複数のセンサ設置部３２０が配置される本体部３００と、電線１００の挙動を監視する挙動監視センサと、電線の周囲の環境データを測定する環境測定センサと、の少なくともいずれか１つであり、複数のセンサ設置部のうち少なくとも１つに着脱可能に設置されるセンサ２００と、を有する。【選択図】図１
0003194295.tif 000002
【実用新案登録請求の範囲】
【請求項１】
電線の周囲を囲むように設けられ、周側面に前記電線の周方向に沿って複数のセンサ設置部が配置される本体部と、
前記電線の挙動を監視する挙動監視センサと、前記電線の周囲の環境データを測定する環境測定センサと、の少なくともいずれか１つであり、前記複数のセンサ設置部のうち少なくとも１つに着脱可能に設置されるセンサと、
を有する
ことを特徴とする電線用センサ装置。
【請求項２】
前記挙動監視センサは、加速度センサ、および角速度センサの少なくともいずれかであり、
前記環境測定センサは、腐食センサ、および降雪センサの少なくともいずれかである
ことを特徴とする請求項１に記載の電線用センサ装置。
【請求項３】
前記電線の周囲を囲むように環状に設けられる磁性体からなるカレントトランスコアと、前記カレントトランスコアに巻回されるコイルと、を有し、前記電線からの前記コイルに対する電磁誘導によって電力を生じさせる電力供給部を有し、
前記電力供給部は、前記センサ設置部に設置された前記センサに接続され、前記センサに電力を供給する
ことを特徴とする請求項１または２に記載の電線用センサ装置。
【請求項４】
前記電力供給部は、前記本体部内に設けられる
ことを特徴とする請求項３に記載の電線用センサ装置。
【請求項５】
前記電力供給部は、前記本体部とは別に設けられ、配線を介して前記本体部に接続される
ことを特徴とする請求項３に記載の電線用センサ装置。
【請求項６】
前記センサ設置部に設置可能な前記挙動監視センサおよび前記環境測定センサは、共通の形状で統一されている
ことを特徴とする請求項１〜５のいずれか１項に記載の電線用センサ装置。
【請求項７】
前記センサ設置部に設置された前記センサに接続され、当該センサが測定した情報を外部に送信する送信部を有する
ことを特徴とする請求項１〜６のいずれか１項に記載の電線用センサ装置。
【請求項８】
前記複数のセンサ設置部のそれぞれは、前記本体部の周側面に径方向に凹み前記電線の軸方向に沿って長尺に設けられる溝部を有し、
前記センサは、前記センサ設置部の前記溝部に嵌合するように短冊状に設けられる
ことを特徴とする請求項１〜７のいずれか１項に記載の電線用センサ装置。
【請求項９】
前記本体部は、前記電線の軸方向に沿って分割され、前記電線を挟持するように接合される
ことを特徴とする請求項１〜８のいずれか１項に記載の電線用センサ装置。
【請求項１０】
前記本体部内に前記電線に隣接して設けられ、前記電線の温度を測定する温度センサを有する
ことを特徴とする請求項１〜９のいずれか１項に記載の電線用センサ装置。
【請求項１１】
前記複数のセンサ設置部のそれぞれには、前記挙動監視センサとしての加速度センサおよび角速度センサの少なくともいずれかとともに、前記環境測定センサとしての降雪センサが設置される
ことを特徴とする請求項１〜１０のいずれか１項に記載の電線用センサ装置。
【請求項１２】
請求項１〜１１のいずれか１項に記載の電線用センサ装置に用いられる前記挙動監視センサおよび前記環境測定センサのいずれか１つである
ことを特徴とするセンサ。
【考案の詳細な説明】
【技術分野】
【０００１】
本考案は、電線用センサ装置およびセンサに関する。
【背景技術】
【０００２】
架空送電線では、電線が設けられた環境に応じて、様々な弊害が生じる可能性がある。例えば、氷雪が付着した電線に風が吹き付けられることにより電線が鉛直上下方向に大振幅且つ低周波で振動する現象である、いわゆるギャロッピング振動などによって、電線が相互に接触し短絡する可能性がある。また、例えば、電線は、大気中の亜硫酸成分や硫黄成分などによって、腐食する可能性がある。
【０００３】
このような電線の振動や腐食状況等を把握するため、電線を定期的に監視する必要がある。そこで、電線の状態を測定するため、様々なセンサ装置等が開発されている（例えば、特許文献１〜５）。
【先行技術文献】
【特許文献】
【０００４】
【特許文献１】特開２００９−２９１０４６号公報
【特許文献２】特開２０１２−１３９０６６号公報
【特許文献３】特許４０７００１６号公報
【特許文献４】特開平５−１９１９０９号公報
【特許文献５】特開平７−３０１５５７号公報
【考案の概要】
【考案が解決しようとする課題】
【０００５】
電線において必要とされる測定項目は、電線が設けられた環境によって異なり、または電線が設けられた環境によって変化するため、電線が設けられた環境に応じて、電線の測定項目を追加したり変更したりすることがある。
【０００６】
しかしながら、電線の測定項目を追加するとき、新たに測定を行うためのセンサや、そのセンサに付随した回路基板を既存のセンサとは別に増設しなくてはならない可能性がある。また、電線の測定項目を変更するとき、既存のセンサを付け替えるだけではセンサを機能させることができず、変更後のセンサに付随した回路基板を変更する必要が生じる可能性がある。このため、電線の測定項目を追加したり変更したりする際の準備期間が長くなり、またコストが増大する可能性がある。
【０００７】
本考案の目的は、電線が設けられた環境に応じて、測定項目を任意に選択することが可能な電線用センサ装置およびセンサを提供することである。
【課題を解決するための手段】
【０００８】
本考案の一態様によれば、
電線の周囲を囲むように設けられ、周側面に前記電線の周方向に沿って複数のセンサ設置部が配置される本体部と、
前記電線の挙動を監視する挙動監視センサと、前記電線の周囲の環境データを測定する環境測定センサと、の少なくともいずれか１つであり、前記複数のセンサ設置部のうち少なくとも１つに着脱可能に設置されるセンサと、
を有する
電線用センサ装置が提供される。
【０００９】
本考案の他の態様によれば、
上記態様に記載の電線用センサ装置に用いられる前記挙動監視センサおよび前記環境測定センサのいずれか１つである
センサが提供される。
【考案の効果】
【００１０】
本考案によれば、電線が設けられた環境に応じて、測定項目を任意に選択することが可能な電線用センサ装置およびセンサが提供される。
【図面の簡単な説明】
【００１１】
【図１】本考案の第１実施形態に係る電線用センサ装置を示す斜視図である。
【図２】本考案の第１実施形態に係る電線用センサ装置を示すブロック図である。
【図３】本考案の第２実施形態に係る電線用センサ装置を示す斜視図である。
【考案を実施するための形態】
【００１２】
＜本考案の第１実施形態＞
（１）電線用センサ装置の構造
本考案の第１実施形態に係る電線用センサ装置１０について、図１及び図２を用いて説明する。図１は、本実施形態に係る電線用センサ装置を示す斜視図である。図２は、本実施形態に係る電線用センサ装置を示すブロック図である。
【００１３】
本実施形態に係る電線用センサ装置１０は、複数のセンサ２００のうち少なくとも１つが、複数のセンサ設置部３２０のうち少なくとも１つに着脱可能に設置されることにより、測定項目を任意に選択することができるように構成される。以下、詳細を説明する。
【００１４】
なお、本実施形態において電線用センサ装置１０が取り付けられる「電線１００」とは、例えば、架空送電線として鉄塔間に架線される鋼心アルミ撚り線（ＡＣＳＲ）、硬銅撚り線である。
【００１５】
（本体部）
図１に示されているように、電線用センサ装置１０は、電線１００の周囲を囲むように設けられる本体部３００を有する。本体部３００は、電線１００の軸方向に沿って分割され、電線１００を挟持するように接合される。
【００１６】
具体的には、例えば、本体部３００は、電線１００の中心軸を通る面で２分割されている。本体部３００の電線１００の軸方向の両端側には、それぞれ、電線１００の周囲を囲むように本体部３００の外周から中心に向かって凹んだ溝部３８０ａ，３８０ｂが設けられる。結合された状態の本体部３００の両端側のそれぞれの溝部３８０ａ，３８０ｂには、例えば本体部３００の周囲を囲むようにＵ字状に設けられた本体部固定金具３９０ａ，３９０ｂのそれぞれが嵌合する。本体部固定金具３９０ａ，３９０ｂの少なくとも一端側には、それぞれ、ボルト（不図示）が挿通する挿通孔３９８ａ，３９８ｂが設けられる。ボルト（不図示）は、本体部固定金具３９０ａ，３９０ｂの挿通孔３９８ａ，３９８ｂに挿通し、本体部３００の溝部３８０ａ，３８０ｂ内のネジ穴（不図示）に螺合する。これにより、本体部固定金具３９０ａ，３９０ｂは本体部３００に固定され、本体部３００は電線１００を挟持するように接合される。このようにして、電線１００が架線された状態で、本体部３００を電線１００に取り付けることができる。
【００１７】
本体部３００の周側面には、電線１００の周方向に沿って、複数のセンサ設置部３２０が配置される。複数のセンサ設置部３２０は、共通の形状で統一されている。具体的には、複数のセンサ設置部３２０のそれぞれは、本体部３００の周側面に径方向に凹み電線１００の軸方向に沿って長尺に設けられた溝部（符号不図示）を有する。本体部３００の溝部内には、本体部３００の内部で後述する電力供給部４００等に接続されたコネクタ（不図示）が設けられる。
【００１８】
（センサ）
図１に示されているように、本体部３００のセンサ設置部３２０には、センサ２００が設置される。本実施形態でのセンサ２００は、電線１００の挙動を監視する挙動監視センサと、電線１００の周囲の環境データを測定する環境測定センサと、の少なくともいずれか１つである。
【００１９】
具体的には、挙動監視センサは、例えば、加速度センサ２１０、および角速度センサ２２０の少なくともいずれかである。また、環境測定センサは、例えば、腐食センサ２３０、および降雪センサ２４０の少なくともいずれかである。なお、後述する温度センサ２５０を環境測定センサに含めて考えても良い。
【００２０】
ここで、本実施形態の本体部３００のセンサ設置部３２０に設置可能な、挙動監視センサとしての加速度センサ２１０および角速度センサ２２０や、環境測定センサとしての腐食センサ２３０および降雪センサ２４０等は、共通の形状で統一されている。
【００２１】
例えば、センサ２００は、電線１００の加速度、角速度、腐食および電線１００に対する降雪の少なくともいずれかを検知するセンサ素子（不図示）と、センサ素子を搭載し当該センサ素子を機能させる回路基板（不図示）と、長手方向の一端に設けられる端子（不図示）と、を有する。各々のセンサ２００の外観上の形状は、各々のセンサ２００が上記した構成を有する状態で、共通の形状で統一されている。
【００２２】
センサ２００の具体的な形状に関しては、図１に示されているように、センサ２００は、例えば、センサ設置部３２０に嵌合するように短冊状に設けられる。また、これらのセンサ２００の外側側面の中心部には、後述するセンサ固定金具３４０の一部が嵌合するように溝部２０８が設けられる。
【００２３】
また、挙動監視センサおよび環境測定センサの少なくともいずれか１つのセンサ２００は、複数のセンサ設置部３２０のうち少なくとも１つに着脱可能に設置される。
【００２４】
例えば、センサ２００は、電線１００の軸方向に沿ってセンサ設置部３２０に嵌合し、センサ２００の端子は、センサ設置部３２０内のコネクタ（不図示）に接続される。本体部３００の外側には、本体部３００の周囲を囲むようにＵ字状のセンサ固定金具３４０が設けられる。センサ固定金具３４０は、センサ設置部３２０に嵌合したセンサ２００の中心部を本体部３００の周方向に囲み、センサ２００の中心部に設けられた溝部に嵌合する。センサ固定金具３４０の両端は、ボルト（不図示）によって本体部３００に固定される。これにより、センサ２００は、センサ設置部３２０に固定される。一方で、電線１００の測定項目を変更する際には、センサ固定金具３４０に固定されたボルトを外すことにより、センサ設置部３２０からセンサ２００を容易に取り外すことができる。
【００２５】
図２に示されているように、本実施形態では、例えば、センサ設置部３２０は本体部３００に４つ設けられ、加速度センサ２１０、角速度センサ２２０、腐食センサ２３０、および降雪センサ２４０が、４つのセンサ設置部３２０のそれぞれに設置される。
【００２６】
加速度センサ２１０は、電線１００の変位量に応じて３軸方向の加速度を検出するよう構成される。加速度センサ２１０は、静電容量型またはピエゾ抵抗型のいずれかである。
【００２７】
角速度センサ２２０は、振動子を振動させて振動子に加わるコリオリ力から、電線の振動における角速度を検出するよう構成される。振動子は、例えば、水晶やセラミックスの圧電振動子、またはシリコンのＭＥＭＳ（Micro Electro Mechanical Systems）などである。
【００２８】
加速度センサ２１０および角速度センサ２２０の少なくともいずれかのセンサ２００により、電線１００の振動（挙動）が検出される。例えば、電線用センサ装置１０が設置される電線１００の位置が予め加速度センサ２１０または角速度センサ２２０内に設定されており、電線１００の位置情報と、加速度または角速度と、に基づいて、電線１００の振動による振幅が検出される。
【００２９】
腐食センサ２３０は、例えば、ｐＨセンサである。ｐＨセンサは、大気中のｐＨを検出し、電線の腐食の原因とされる大気中の亜硫酸成分や硫黄成分などを検知するよう構成される。ｐＨセンサによる測定方法は、例えば、ガラス電極法、またはイオン応答電界効果トランジスタ（Ion Sensitive Field Effect Transistor）を用いた半導体センサ法のいずれかである。
【００３０】
なお、腐食センサ２３０は、いわゆるＡＣＭ（Atmospheric Corrosion Monitor）センサであってもよい。ＡＣＭセンサは、対象金属の基板上に絶縁層を介して異種金属を積層した構造を有する。ＡＣＭセンサは、降雨や結露によって両金属間に薄い水膜が形成されたときの電流を計測することにより、対象金属の腐食を検知するよう構成される。
【００３１】
降雪センサ２４０は、例えば、水分センサと、鉛直上向きに露出した温度センサと、を有する。降雪センサ２４０は、水分センサが水分による導通を検出し、且つ温度センサに雪が接触することによって温度センサが所定温度以下を検知したときに、降雪を検知するよう構成される。
【００３２】
図１および図２に示されているように、さらに、本実施形態では、本体部３００内において電線１００に隣接するように、電線１００の温度を測定する温度センサ２５０が設けられる。なお、温度センサ２５０は、本体部３００のセンサ設置部３２０に設けられていても良い。
【００３３】
（電力供給部）
図２に示されているように、電線用センサ装置１０は、電力供給部４００を有する。電力供給部４００は、電線１００の周囲を囲むように環状に設けられる磁性体から成るカレントトランスコア４２０と、カレントトランスコア４２０に巻回されるコイル４４０と、を有し、電線１００からのコイル４４０に対する電磁誘導によって、電力を生じさせるよう構成される。これにより、電力供給部４００が小型化、および軽量化される。
【００３４】
図１に示されているように、電力供給部４００は、本体部３００内に設けられる。これにより、電線用センサ装置１０が全体として小型化される。
【００３５】
また、カレントトランスコア４２０は、分割された本体部３００とともに電線１００の軸方向に沿って分割されている。カレントトランスコア４２０は、本体部３００が接合されたときに環状になるように構成される。
【００３６】
本体部３００におけるカレントトランスコア４２０が内在する部分は、本体部３００の他の部分よりも径が広がって設けられている。本体部３００におけるカレントトランスコア４２０が内在する部分の周側面に隣接して、リブ状の複数の放熱リブ３６０が設けられる。複数の放熱リブ３６０は、カレントトランスコア４２０の周方向に沿って互いに等間隔で設けられる。これにより、カレントトランスコア４２０から発生する熱が放出される。
【００３７】
図２に示されているように、電力供給部４００は、センサ設置部３２０に設置された各々のセンサ２００と、本体部３００の内部に設けられた温度センサ２５０と、後述する送信部５００と、に接続され、各々のセンサ２００、温度センサ２５０、および送信部５００に電力を供給する。
【００３８】
（送信部）
図２に示されているように、電線用センサ装置１０は、送信部５００を有する。送信部５００は、センサ設置部３２０に設置された各々のセンサ２００に接続される。送信部５００は、センサ２００からの信号に基づいて、各々のセンサ２００が測定した情報（データ）を常時または定期的に外部に送信するよう構成される。
【００３９】
図１に示されているように、例えば、送信部５００のアンテナ部５２０は、本体部固定金具３９０ｂに径方向に突出した状態で設けられる。本体部固定金具３９０ｂのアンテナ部５２０と反対側（本体部３００側）には、アンテナ部５２０の端子（不図示）が設けられる。本体部固定金具３９０ｂが本体部３００に固定されたとき、アンテナ部５２０の端子は、本体部３００の溝部３８０ｂ内に設けられたアンテナ用コネクタ３７０に接続される。
【００４０】
送信部５００の回路等は、本体部３００内に設けられる。送信部５００は、本体部３００内の配線（不図示）を介して、センサ設置部３２０に接続される。
【００４１】
（２）本実施形態に係る効果
本実施形態やその変形例によれば、以下に示す１つ又は複数の効果を奏する。
【００４２】
（ａ）本実施形態によれば、本体部３００の周側面には、電線１００の周方向に沿って複数のセンサ設置部３２０が配置される。挙動監視センサ（加速度センサ２１０および角速度センサ２２０等）および環境測定センサ（腐食センサ２３０および降雪センサ２４０等）の少なくともいずれか１つであるセンサ２００は、複数のセンサ設置部３２０のうち少なくとも１つに着脱可能に設置される。これにより、電線１００が設けられた環境に応じて、測定項目を任意に選択することができる。
【００４３】
ここで、比較例として、電線用センサ装置において特定のセンサが固定され、電線の測定項目が予め決められている場合について考える。
【００４４】
電線において必要とされる測定項目は、電線が設けられた環境によって異なり、または電線が設けられた環境によって変化するため、電線が設けられた環境に応じて、電線の測定項目を追加したり変更したりすることがある。
【００４５】
しかしながら、比較例では、電線の測定項目を追加するとき、新たに測定を行うためのセンサや、そのセンサに付随した回路基板を、既存のセンサとは別に増設しなくてはならない可能性がある。また、電線の測定項目を変更するとき、既存のセンサを付け替えるだけではセンサを機能させることができず、変更後のセンサに付随した回路基板を変更する必要が生じる可能性がある。このため、電線の測定項目を追加したり変更したりする際の準備期間が長くなり、またコストが増大する可能性がある。
【００４６】
これに対して、本実施形態によれば、上述のように、挙動監視センサおよび環境測定センサの少なくともいずれか１つのセンサ２００を、複数のセンサ設置部３２０のうち少なくとも１つに着脱可能に設置することができる。
【００４７】
本実施形態では、例えば、電線１００の測定項目を追加するとき、新たに測定するためのセンサ２００を、空いたセンサ設置部３２０に設置することができる。また、例えば、電線１００の測定項目を変更するとき、センサ設置部３２０に設置されたセンサ２００を取り外し、それによって空けられたセンサ設置部３２０に変更後のセンサ２００を設置することができる。
【００４８】
このようにして、本実施形態によれば、電線１００が設けられた環境に応じて、測定項目を任意に選択することができる。また、必要となるセンサ２００を予め常備しておくなどの体制を整えることにより、電線１００の測定項目を追加または変更する必要が生じたときに迅速に対応することができ、それに係るコストを削減することが可能となる。
【００４９】
（ｂ）本実施形態によれば、電線用センサ装置１０は、電線１００からのコイル４４０に対する電磁誘導によって電力を生じさせる電力供給部４００を有する。電力供給部４００は、センサ設置部３２０に設置された各々のセンサ２００に接続され、各々のセンサ２００に電力を供給する。
【００５０】
ここで、比較例として、電力供給部が電池により構成される場合について考える。比較例では、定期的に電池交換を行う必要がある。また、比較例では、電力供給部が大型化、および重量化する可能性がある。
【００５１】
これに対して、本実施形態では、電線１００からの電磁誘導によって、非接触で各々のセンサ２００に必要な電力を得ることができる。これにより、電池交換等の作業を省略することができ、また電力供給部４００を小型化、および軽量化することができる。
【００５２】
（ｃ）本実施形態によれば、本体部３００のセンサ設置部３２０に設置可能な挙動監視センサとしての加速度センサ２１０、および角速度センサ２２０や、環境測定センサとしての腐食センサ２３０、および降雪センサ２４０等は、共通の形状で統一されている。これにより、各々のセンサ２００を任意のセンサ設置部３２０に容易に着脱することができ、各々のセンサ２００が設置されるセンサ設置部３２０の位置を容易に変更することができる。
【００５３】
（ｄ）本実施形態によれば、複数のセンサ設置部３２０のそれぞれは、本体部３００の周側面に径方向に凹み電線１００の軸方向に沿って長尺に設けられる溝部を有する。センサ２００は、センサ設置部３２０の溝部に嵌合するように短冊状に設けられる。これにより、複数のセンサ２００を電線１００の周方向に沿って容易に配置することができる。したがって、電線１００の所定の位置において、複数の測定を同時に行うことができる。
【００５４】
（ｅ）本実施形態によれば、複数のセンサ設置部３２０のそれぞれには、挙動監視センサとしての加速度センサ２１０および角速度センサ２２０の少なくともいずれかとともに、環境測定センサとしての降雪センサ２４０が設置される。これにより、電線１００のギャロッピング振動を的確に把握することができる。
【００５５】
電線のギャロッピング振動とは、氷雪が付着した電線に風が吹き付けられることにより電線が鉛直上下方向に大振幅且つ低周波で振動する現象である。電線がギャロッピング振動をした場合、電線が相互に接触し短絡（線間短絡）する可能性がある。このため、停電やそれに伴う復旧作業などにより、電力を安定供給することが困難となる可能性がある。したがって、ギャロッピング振動の実態を把握することが、送電設備を保守するために重要となる。
【００５６】
ここで、比較例として、電線用センサ装置が電線の振動を検知することに特化されている場合について考える。
【００５７】
比較例において電線用センサ装置が設置された電線が振動したとき、電線の振動を検知するだけでは、電線の振動発生の原因が、単に強風による強制的な電線の振動であるのか、或いは、着雪によるギャロッピング振動であるのかを、即座に判別することが困難である可能性がある。
【００５８】
これに対して、本実施形態によれば、加速度センサ２１０および角速度センサ２２０の少なくともいずれかによって、電線１００の振動を検知するだけでなく、降雪センサ２４０によって電線１００への着雪も検知することができる。例えば、加速度センサ２１０および角速度センサ２２０の少なくともいずれかが電線１００の振動を検知した際に同時に降雪センサ２４０が電線１００への着雪を検知したとき、電線１００がギャロッピング振動をしていると判断することができる。このように、電線１００への着雪の有無を検知することによって電線１００のギャロッピング振動を的確に把握することができる。
【００５９】
＜本発明の第２実施形態＞
図３を用い、本発明の第２実施形態について説明する。図３は、本実施形態に係る電線用センサ装置を示す斜視図である。
【００６０】
本実施形態は、主に電力生成部の取り付け態様が第１実施形態と異なる。以下、第１実施形態と異なる要素についてのみ説明し、第１実施形態で説明した要素と実質的に同一の要素には、同一の符号を付してその説明を省略する。
【００６１】
（１）電線用センサ装置の構造
（本体部）
図３に示されているように、電線用センサ装置１２は、本体部３０２を有する。本体部３０２には、電線１００の中心軸に沿った平面で２分割されている。本体部３０２は、後述する固定金具６３２ａ，６３２ｂが結合されることによって電力供給部４００とともに挟持される。
【００６２】
本体部３０２の周側面には、電線１００の周方向に沿って複数のセンサ設置部３２２が配置される。複数のセンサ設置部３２２のそれぞれには、センサ２０２が着脱可能に設置される。
【００６３】
本体部３０２の外側には、本体部３０２の周囲を囲むように略Ｕ字状のセンサ固定金具３４２が設けられる。センサ固定金具３４２は、センサ設置部３２０に嵌合したセンサ２０２の中心部を本体部３００の周方向に囲むように設けられる。センサ固定金具３４０の両端は、ボルト３５２によって本体部３０２に固定される。
【００６４】
（電力供給部）
図３に示されているように、電力供給部４０２は、本体部３０２とは別に設けられる。電力供給部４０２は、先端にプラグ６２２が設けられた電力供給線としての配線６１２を有する。プラグ６２２は、本体部３０２の電力供給コネクタ３１２に接続される。これにより、電力供給部４０２は、配線６１２を介して本体部３０２に接続され、センサ設置部３２０に設置されたセンサ２０２等に電力が供給される。
【００６５】
電力供給部４０２のカレントトランスコア４２２は、電線１００の軸方向に沿って分割されている。
【００６６】
電力供給部４０２の外側には、電力供給部４０２の周囲を周方向に囲むように、半円弧状の固定金具６３２ａ，６３２ｂが設けられる。分割された電力供給部４０２が固定金具６３２ａ，６３２ｂの中心側に電線１００を挟むようにして接合した状態で、固定金具６３２ａ，６３２ｂはボルト６４２によって結合される。
【００６７】
また、電力供給部４０２は、本体部３０２側に電線１００の軸方向に沿って突出したつば部４６２を有する。本体部３０２は、電線１００側の内周面に電力供給部４０２のつば部４６２が嵌合する溝部（符号不図示）を有する。固定金具６３２ａ，６３２ｂが結合される際に、電力供給部４０２のつば部４６２が本体部３０２の溝部に嵌合し、本体部３０２も電力供給部４００とともに固定金具６３２ａ，６３２ｂによって挟持される。
【００６８】
例えば、電線１００の外径をＤとしたとき、本体部３０２の直径は２Ｄであり、電力供給部４００の外径は２Ｄであり、固定金具６３２ａ，６３２ｂが結合したときの外径は２．５Ｄである。
【００６９】
（送信部）
図３に示されているように、送信部５０２のアンテナ部５２２は、本体部３００の側面に電線１００の軸方向に沿って設けられる。
【００７０】
（２）本実施形態に係る効果
本実施形態によれば、電力供給部４０２は、本体部３０２とは別に設けられる。電力供給部４０２は、配線６１２を介して本体部３０２に接続される。発熱し易い電力供給部４０２のカレントトランスコア４２２を本体部３０２とは別に設けることにより、センサ２０２の熱による劣化を抑制することができる。
【００７１】
＜本考案の他の実施形態＞
以上、本考案の実施形態について具体的に説明したが、本考案は上述の実施形態に限定されるものではなく、その要旨を逸脱しない範囲で種々変更可能である。
【００７２】
上述の実施形態では、電力供給部４００がカレントトランスコア４２０を有し、電線からの電磁誘導によって電力を生じさせるよう構成される場合について説明したが、電力供給部は太陽電池を有し、太陽光によって電力を生じさせるよう構成されていてもよい。
【００７３】
また、上述の実施形態では、電線用センサ装置１０はセンサ２００が測定した情報を外部に送信する送信部５００を有する場合について説明したが、電線用センサ装置はセンサが測定した情報を記録するフラッシュメモリなどの記録部を有していてもよい。
【００７４】
また、上述の実施形態では、送信部５００のみが設けられる場合について説明したが、電線用センサ装置は、センサをオンまたはオフさせるための信号を外部から受信する受信部を有していてもよい。また、電線用センサ装置は、センサが測定した情報を外部に送信するよう送信部を制御し、または受信部が受信した信号に基づいてセンサを起動するよう制御する制御部を有していてもよい。また、
【符号の説明】
【００７５】
１０，１２  電線用センサ装置
１００  電線
２００，２０２  センサ
２１０  加速度センサ
２２０  角速度センサ
２３０  腐食センサ
２４０  降雪センサ
２５０  温度センサ
３００，３０２  本体部
３１２  電力供給コネクタ
３２０，３２２  センサ設置部
３４０，３４２  センサ固定金具
３５２  ボルト
３６０  放熱リブ
３７０  アンテナ用コネクタ
３８０ａ，３８０ｂ  溝部
３９０ａ，３９０ｂ  本体部固定金具
４００，４０２  電力供給部
４２０，４２２  カレントトランスコア
４４０  コイル
４６２  部
５００，５０２  送信部
５２０，５２２  アンテナ部
６１２  配線
６２２  プラグ
６３２ａ，６３２ｂ  固定金具
６４２  ボルト
【図１】
0003194295.tif 000003
【図２】
0003194295.tif 000004
【図３】
0003194295.tif 000005